(57)【要約】【課題】プロジェクターの電源がオンした直後に、いずれの輝度設定になっているかを使用者に通知することができるプロジェクターを提供する。【解決手段】プロジェクター１の電源がオンすると（ステップＳ１０１）、光源制御手段２２は、光源１１を点灯して、次に光源１１の輝度を輝度設定情報２１１に保存された輝度に設定し（ステップＳ１０２）、制御手段２０は、輝度設定情報２１１に保存された輝度を示す輝度設定確認メッセージＭ１を画像投写手段１０により投写する（ステップＳ１０４）。【選択図】図３
2014041235.tif 000002
【特許請求の範囲】
【請求項１】
光源から射出された光を画像情報に応じて変調して投写面に投写する画像投写手段を備えたプロジェクターであって、
前記光源の輝度を、所定の輝度に設定する輝度設定手段と、
前記プロジェクターの電源がオンするとき、前記設定された前記所定の輝度を示す輝度設定確認メッセージを、所定の第１の時間に達するまで前記画像投写手段に投写させる制御手段と、
を備えたことを特徴とする、プロジェクター。
【請求項２】
請求項１に記載のプロジェクターであって、
前記画像投写手段に所定のミュート画像を表示させるミュート状態を設定するミュート設定手段をさらに備え、
前記制御手段は、
前記ミュート設定手段により、前記ミュート状態を解除するときに、前記輝度設定確認メッセージを、所定の第１の時間に達するまで前記画像投写手段に投写させる、ことを特徴とする、プロジェクター。
【請求項３】
請求項２に記載のプロジェクターであって、
前記ミュート設定手段は、前記ミュート状態を解除するときに、所定の第２の時間をかけて徐々に前記ミュート状態を解除する、ことを特徴とする、プロジェクター。
【請求項４】
請求項１から３のいずれか一項に記載のプロジェクターであって、
前記輝度設定手段により設定された前記所定の輝度を報知する報知手段、
をさらに備えたことを特徴とする、プロジェクター。
【請求項５】
請求項１から４のいずれか一項に記載のプロジェクターであって、
前記制御手段は、前記輝度設定確認メッセージを表示する残り時間を含むメッセージを前記画像投写手段に投写させる、ことを特徴とする、プロジェクター。
【請求項６】
請求項１から５のいずれか一項に記載のプロジェクターであって、
入力操作を受け付ける入力操作手段をさらに備え、
前記輝度設定手段は、前記輝度設定確認メッセージに対し、前記入力操作手段より、所定の輝度変更操作を受け付けたとき、前記光源の輝度の設定を変更する、ことを特徴とする、プロジェクター。
【請求項７】
光源から射出された光を画像情報に応じて変調して投写面に投写する画像投写手段を備えたプロジェクターの制御方法であって、
前記光源の輝度を、所定の輝度に設定する輝度設定ステップと、
前記プロジェクターの電源がオンするとき、前記輝度設定ステップにより設定された前記所定の輝度を示す輝度設定確認メッセージを、所定の第１の時間に達するまで前記画像投写手段に投写させる輝度表示ステップと、
を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
画像を投写するプロジェクターに使われている光源ランプは、点灯直後は暗く、完全に所定の明るさになるまでには時間がかかることがある。また、プロジェクターの消費電力を減らすために低輝度、高輝度など複数の輝度を設定可能なプロジェクターもある。
このため、電源オン直後、完全に明るくなる前の状態を見て、プロジェクターが高輝度に設定されているにもかかわらず、低輝度設定と勘違いして輝度設定を変更しようと操作してしまうことがあった。また、プロジェクターには、画像の投写を一時的に中断し、黒画像などを投写する画像ミュート機能を搭載しているものがあるが、暗い部屋で、ミュート状態を解除して画像の投写を再開するとき、暗いミュート画像から急に明るい画像が投写されるため、低輝度設定しているにもかかわらず、高輝度設定と勘違いし、輝度設定を低輝度に変更しようと操作してしまうという問題があった。
【０００３】
下記に示す特許文献１には、スクリーンまでの距離や周囲の環境によって輝度を変更するプロジェクターが開示されている。このプロジェクターによればユーザーが操作することなく、プロジェクターの輝度を変更することができる。
【先行技術文献】
【特許文献】
【０００４】
【特許文献１】特開２００８−２０３４９０号公報
【発明の概要】
【発明が解決しようとする課題】
【０００５】
しかしながら、プロジェクターの消費電力を減らすために意図的に低輝度設定で使用したい場合や、画像をより明るく投写するために高輝度で使いたい場合などユーザーの使用目的によって所望の輝度設定は異なり、特許文献１の方法では、これらユーザーの使用目的に合わないという問題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源から射出された光を画像情報に応じて変調して投写面に投写する画像投写手段を備えたプロジェクターであって、前記光源の輝度を、所定の輝度に設定する輝度設定手段と、前記プロジェクターの電源がオンするとき、前記設定された前記所定の輝度を示す輝度設定確認メッセージを、所定の第１の時間に達するまで前記画像投写手段に投写させる制御手段と、を備えたことを特徴とする。
【０００８】
本適用例によれば、プロジェクターの電源がオンするときに、光源の輝度に設定された所定の輝度（輝度設定）を示すメッセージが投写されるので、光源が徐々に明るくなってくる状態でも設定された輝度を確認することが可能となる。
【０００９】
［適用例２］上記適用例に記載のプロジェクターにおいて、前記画像投写手段に所定のミュート画像を表示させるミュート状態を設定するミュート設定手段をさらに備え、前記制御手段は、前記ミュート設定手段により、前記ミュート状態を解除するときに、前記輝度設定確認メッセージを、所定の第１の時間に達するまで前記画像投写手段に投写させる、ことを特徴とする。
【００１０】
本適用例によれば、プロジェクターのミュート状態を解除するときに、所定時間に達するまで、設定された所定の輝度を示す輝度設定確認メッセージが表示されるので、ミュート画像時の暗い状態から画像投写を再開して急に明るい画面になったような場合でも正しい輝度設定をメッセージで確認することが可能となる。
【００１１】
［適用例３］上記適用例に記載のプロジェクターにおいて、前記ミュート設定手段は、前記ミュート状態を解除するときに、所定の第２の時間をかけて徐々に前記ミュート状態を解除する、ことを特徴とする。
【００１２】
本適用例によれば、プロジェクターのミュート状態を解除するときに所定の第２の時間をかけて徐々にミュート状態を解除して画像の投写を再開するので、ミュート画像時の暗い状態から画像投写を再開して急に明るい画面になるのを防止することが可能となる。
【００１３】
［適用例４］上記適用例に記載のプロジェクターにおいて、前記輝度設定手段により設定された前記所定の輝度を報知する報知手段、をさらに備えたことを特徴とする。
【００１４】
本適用例によれば、光源の輝度に設定された所定の輝度を報知する報知手段により、電源オン直後など光源が徐々に明るくなってくる状態でも設定された輝度を確認することが可能となる。
【００１５】
［適用例５］上記適用例に記載のプロジェクターにおいて、前記制御手段は、前記輝度設定確認メッセージを表示する残り時間を含むメッセージを前記画像投写手段に投写させる、ことを特徴とする。
【００１６】
本適用例によれば、光源の輝度設定を示す輝度設定確認メッセージの残り表示時間を、メッセージとして表示することにより、後どれくらい（残り時間）で光源が完全に明るくなるのかを使用者に知らせることが可能となる。
【００１７】
［適用例６］上記適用例に記載のプロジェクターにおいて、入力操作を受け付ける入力操作手段をさらに備え、前記輝度設定手段は、前記輝度設定確認メッセージに対して、前記入力操作手段より、所定の輝度変更操作を受け付けたとき、前記光源の輝度の設定を変更する、ことを特徴とする。
【００１８】
本適用例によれば、光源の輝度設定を示す輝度設定確認メッセージが表示されているときに所定の操作により、光源の輝度の設定を変更するので、電源オン直後など光源が完全に明るくなっていない状態でも、使用者の所望の輝度と異なる場合にすぐに設定を変更することが可能となる。
【００１９】
［適用例７］本適用例に係るプロジェクターの制御方法は、光源から射出された光を画像情報に応じて変調して投写面に投写する画像投写手段を備えたプロジェクターの制御方法であって、前記光源の輝度を、所定の輝度に設定する輝度設定ステップと、前記プロジェクターの電源がオンするとき、前記輝度設定ステップにより設定された前記所定の輝度を示す輝度設定確認メッセージを、所定の第１の時間に達するまで前記画像投写手段に投写させる輝度表示ステップと、を有することを特徴とする。
【００２０】
本適用例によれば、プロジェクターの電源がオンするとき、所定の第１の時間に達するまで光源の輝度に設定された所定の輝度を示す輝度設定確認メッセージが投写されるので、光源が徐々に明るくなってくる状態でも設定された輝度（所定の輝度）を確認することが可能となる。
【図面の簡単な説明】
【００２１】
【図１】プロジェクターの概略構成を示すブロック図。
【図２】プロジェクターが電源オンする時の画面遷移を示す図。
【図３】プロジェクターが電源オンする時の動作を示すフローチャート。
【図４】プロジェクターが動作中にミュート操作を検出した時の動作を示すフローチャート。
【図５】画像ミュート解除時のマスクパターンを示す図。
【発明を実施するための形態】
【００２２】
以下、図面を参照して本発明の実施形態について説明するが、以下の実施形態は特許請求の範囲にかかる発明を限定するものではなく、また、実施形態における特徴の組み合わせの全てが発明の解決手段に必須であるとは限らない。
【００２３】
（第１実施形態）
図１は、本実施形態のプロジェクターの概略構成を示すブロック図である。
図１に示すように、プロジェクター１は、画像投写手段１０、ＯＳＤ処理手段１６、画像信号処理手段１７、画像信号入力手段１８、制御手段２０、記憶手段２１、光源制御手段２２、入力操作手段２３、報知手段２５、電源端子３０、電源部３１等で構成されており、これらは図示しない筐体の内部、または外面に収容されている。
【００２４】
画像投写手段１０は、光源１１、光変調装置としての３つの液晶ライトバルブ１２（１２Ｒ，１２Ｇ，１２Ｂ）、投写光学系としての投写レンズ１３、液晶駆動手段１４等を含んでいる。画像投写手段１０は、光源１１から射出された光を、液晶ライトバルブ１２Ｒ，１２Ｇ，１２Ｂで変調し、投写レンズ１３から投写することによって投写面としてのスクリーンＳＣ等に画像を表示する。
【００２５】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ），緑色（Ｇ），青色（Ｂ）の各色光成分に分離された後、それぞれ液晶ライトバルブ１２Ｒ，１２Ｇ，１２Ｂに入射する。
【００２６】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリックス状に配列された複数の画素（図示せず）が形成されており、液晶に対して画素毎に駆動電圧を印加可能となっている。
液晶駆動手段１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２７】
なお、本実施形態では、画像投写手段１０は、光変調装置としての３つの液晶ライトバルブ１２Ｒ，１２Ｇ，１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２８】
制御手段２０は、図示しないＣＰＵ（Central Processing Unit）や、各種データ等の一時記憶に用いられるＲＡＭ（Random Access Memory）等を備え、記憶手段２１に記憶されている制御プログラム（図示せず）に従って動作することによりプロジェクター１の動作を統括制御する。つまり、制御手段２０は、記憶手段２１とともにコンピューターとして機能する。制御手段２０は、時間を計時するタイマー２０１と、プロジェクター１の画像ミュート状態（ミュート状態）を設定するミュート設定手段２０２を備える。
【００２９】
記憶手段２１は、図示しないフラッシュメモリーやＦｅＲＡＭ（Ferroelectric RAM：強誘電体メモリー）等の書き換え可能な不揮発性のメモリーにより構成されている。記憶手段２１には、プロジェクター１の動作を制御するための制御プログラムや、プロジェクター１の動作条件等を規定する各種設定データ等が記憶されている。本実施形態では、輝度設定情報２１１が記憶される。
輝度設定情報２１１は、光源１１の輝度に設定されている輝度（所定の輝度）の設定状態が保存される。プロジェクター１の電源をオンしたとき、輝度設定情報２１１の設定に基づいて光源１１の輝度が設定される。また、光源１１の輝度の設定が変更されたときは、新たに設定された輝度の設定状態を保存する。
【００３０】
入力操作手段２３は、ユーザーがプロジェクター１に対して各種指示を行うための複数の操作キーを備えている。
入力操作手段２３が備える操作キーとしては、電源のオン・オフを交互に切り替えるための電源キーや、画像信号入力手段１８に入力される複数の画像入力端子６を切り替えるための入力切替キー、画像ミュート状態の設定を切り替えるミュートキー、各種設定を行うための設定メニューを重畳表示させるメニューキー、メニューからユーザーが設定項目を選択するカーソルキー、決定キー、エスケープキー、ヘルプキー等がある。
【００３１】
ユーザーが入力操作手段２３の各種操作キーを操作すると、入力操作手段２３は、ユーザーの操作内容に応じた操作信号を制御手段２０に出力する。なお、入力操作手段２３は、リモートコントローラー（リモコン）信号受信手段（図示せず）と遠隔操作が可能なリモートコントローラー（図示せず）を有した構成としてもよい。この場合、リモートコントローラーは、ユーザーの操作内容に応じた赤外線等の操作信号を発し、リモコン信号受信手段がこれを受信して制御情報として制御手段２０に伝達する。
【００３２】
画像信号入力手段１８は、上述したように複数の画像入力端子６より、ビデオ再生装置やパーソナルコンピューター等、外部の画像出力装置から、図示しないケーブル、又は通信機器などを介して画像情報が入力される。入力された画像情報は、制御手段２０の指示に基づき、画像信号処理手段１７に出力される。
【００３３】
画像信号処理手段１７は、画像信号入力手段１８から入力される画像情報を、液晶ライトバルブ１２Ｒ，１２Ｇ，１２Ｂの各画素の階調を表す画像情報に変換する。ここで、変換された画像情報は、赤（Ｒ），緑（Ｇ），青（Ｂ）の色光別になっており、各液晶ライトバルブ１２Ｒ，１２Ｇ，１２Ｂのすべての画素に対応する複数の画素値によって構成されている。画素値とは、対応する画素の光透過率を定めるものであり、この画素値によって、各画素を透過し射出する光の強弱（階調）が規定される。
【００３４】
ＯＳＤ処理手段１６は、制御手段２０の指示に基づいて、投写画像上に、メニュー画像やメッセージ画像等のＯＳＤ（オンスクリーンディスプレイ）画像を重畳して表示するための処理を行う。ＯＳＤ処理手段１６は、図示しないＯＳＤメモリーを備えており、ＯＳＤ画像を形成するための図形やフォント等を表すＯＳＤ画像情報を記憶している。
【００３５】
制御手段２０が、ＯＳＤ画像の重畳表示を指示すると、ＯＳＤ処理手段１６は、必要なＯＳＤ画像情報をＯＳＤメモリーから読み出し、投写画像上の所定の位置にＯＳＤ画像が重畳されるように、画像信号処理手段１７から入力される画像情報にこのＯＳＤ画像情報を合成する。ＯＳＤ画像情報が合成された画像情報は、液晶駆動手段１４に出力される。なお、制御手段２０からＯＳＤ画像を重畳する旨の指示がない場合には、ＯＳＤ処理手段１６は、画像信号処理手段１７から入力される画像情報を、そのまま液晶駆動手段１４に出力する。
【００３６】
液晶駆動手段１４は、ＯＳＤ処理手段１６から入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３７】
光源制御手段２２は、制御手段２０の指示に基づいて、光源１１に対する電力の供給と停止とを制御し、光源１１の点灯、及び消灯を切り替える。また、光源制御手段２２は光源１１の輝度を多段階で調整し設定する機能を持つ輝度設定手段に相当する。
【００３８】
報知手段２５は、ＬＥＤなどで構成され、制御手段２０の指示に基づき、プロジェクター１の動作状態を報知するものである。本実施形態では報知手段２５は、プロジェクター１の輝度設定状態を報知する。例えば光源１１が高輝度で動作中のときは緑色、低輝度のときは青色のように報知する。
【００３９】
電源部３１には、ＡＣ１００Ｖ等の電力が電源端子３０を介して外部から供給される。電源部３１は、例えば、商用電源（交流電源）を所定の電圧の直流電源に変換して、プロジェクター１の各部に電力を供給する。また、電源部３１は、制御手段２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。
【００４０】
本実施形態のプロジェクター１は、上記のように構成されているため、電源端子３０に電源ケーブル（図示せず）が接続され、電源部３１に電力が供給されると、電源部３１は、少なくとも制御手段２０、記憶手段２１、入力操作手段２３に電力（スタンバイ電力）の供給を行い、制御手段２０は、この電力供給を受けて、制御プログラムに従った動作を開始する。
電力が供給された直後には、プロジェクター１は、スタンバイ状態（「電源オフ状態」ともいう。）であり、光源１１を消灯させた状態を維持している。そして、入力操作手段２３に備わる電源キーがユーザーにより操作されると、制御手段２０は、電源部３１に指示をして、各部への動作電力の供給を開始させ、プロジェクター１を電源オン状態に移行させる。
【００４１】
次に、本実施形態のプロジェクター１の電源オン時の画面遷移を、図２を用いて説明する。なお、図２の状態（ｃ）、（ｄ）、（ｅ）において、画面に円形が表示されているが、投写画像を抽象的に示すためであり、実際の投写画像を限定するものではない。
【００４２】
図２に示す状態（ａ）のように、プロジェクター１のスタンバイ状態において、電源オン操作を検出すると、光源１１が点灯し、状態（ｂ）のように画面が徐々に明るくなる。このときに、状態（ｃ）のように投写画像に輝度設定を示す輝度設定確認メッセージＭ１（「高輝度」）と、輝度変更操作のガイド（「［↑↓］で輝度変更」）と、輝度設定確認メッセージＭ１の残り表示時間（「あと○秒」）と、がメッセージとして表示される。
なお、状態（ｂ）では省略しているが、メッセージは光源点灯直後に表示されており、明るくなってから視認できるようになる。
【００４３】
状態（ｃ）において所定の輝度変更操作（本例では上下カーソルキー）を検出すると、状態（ｄ）のように輝度設定が変更され、変更された輝度設定確認メッセージＭ１（「低輝度」）が表示される。
状態（ｄ）から続けて輝度変更操作を行うと、再度状態（ｃ）に遷移する。
状態（ｃ）または状態（ｄ）において輝度変更操作を行わない状態で所定時間Ｔ１を経過すると、状態（ｅ）に遷移し、輝度設定確認メッセージＭ１が含まれたメッセージの表示を消去して通常の画像投写状態になる。この画面遷移の動作の詳細は後述する。
上述の所定時間Ｔ１、及び後述する所定時間Ｔ３が、所定の第１の時間に相当する。
【００４４】
なお、輝度設定確認メッセージＭ１の残り表示時間（「あと○秒」）は、プロジェクター１を電源オンしてから、または最後に輝度設定を変更してからの経過時間が、所定時間Ｔ１に達するまでの時間（例えば１０秒）である。
また、図２では低輝度、高輝度の２種の設定を示したが、輝度設定はさらに多段階でもよい。
【００４５】
次に、本実施形態のプロジェクター１の動作を図３、及び図４のフローチャートを用いて説明する。図３はプロジェクター１が電源オンするときの動作、図４はプロジェクター１が画像ミュート操作を検出したときの動作を示すフローチャートである。
【００４６】
［プロジェクター１の電源がオンするとき］
図３に示すように、プロジェクター１は、入力操作手段２３の電源キー操作などにより、電源がオンすると、（ステップＳ１０１）、ステップＳ１０２に遷移する。
【００４７】
ステップＳ１０２において光源制御手段２２は、光源１１を点灯させ、次に光源１１の輝度を輝度設定情報２１１に保存された輝度に設定（輝度設定）し、ステップＳ１０３に遷移する。なお、ステップＳ１０２と後述するステップＳ１０６、ステップＳ２１７が輝度設定ステップに相当する。
【００４８】
ステップＳ１０３において制御手段２０は、タイマー２０１による計時をスタートし、ステップＳ１０４に遷移する。
【００４９】
ステップＳ１０４において制御手段２０は、輝度設定情報２１１に保存された輝度を示す輝度設定確認メッセージＭ１（図２参照）を画像投写手段１０により投写（表示）し、次に輝度設定情報２１１に保存された輝度を報知手段２５により報知し、ステップＳ１０５に遷移する。ステップＳ１０４と、後述するステップＳ１０７が輝度表示ステップに相当する。
なお、報知手段２５による輝度設定の報知状態は、光源１１の輝度の変更に伴い変化し、プロジェクター１がオフするまで継続する。
【００５０】
ステップＳ１０５において制御手段２０は、輝度設定確認メッセージＭ１に対し、所定の輝度変更操作を受け付けたか否かを調べる。輝度変更操作を受け付けた場合（ステップＳ１０５：Ｙ）、ステップＳ１０６に遷移する。輝度変更操作を受け付けていない場合（ステップＳ１０５：Ｎ）、ステップＳ１０７に遷移する。
【００５１】
ステップＳ１０６において制御手段２０は、ステップＳ１０５において受け付けた変更操作により選択された輝度を、光源制御手段２２により光源１１の輝度として設定し、選択され設定した輝度を輝度設定情報２１１に保存して、ステップＳ１０３に遷移する。
【００５２】
ステップＳ１０７において制御手段２０は、画像投写手段１０により輝度設定確認メッセージＭ１の残り表示時間、つまりタイマー２０１による計時時間が所定時間Ｔ１に達するまでの残り時間を更新したメッセージを投写（表示）させ、ステップＳ１０８に遷移する。
【００５３】
ステップＳ１０８において制御手段２０は、タイマー２０１による計時時間が所定時間Ｔ１を経過したか否かを調べる。タイマー２０１による計時時間が所定時間Ｔ１を経過した場合（ステップＳ１０８：Ｙ）、ステップＳ１０９に遷移する。タイマー２０１による計時時間が所定時間Ｔ１を経過していない場合（ステップＳ１０８：Ｎ）、ステップＳ１０５に遷移する。
【００５４】
ステップＳ１０９において制御手段２０は、タイマー２０１による計時を停止し、ステップＳ１１０に遷移する。
【００５５】
ステップＳ１１０において制御手段２０は、画像投写手段１０による輝度設定確認メッセージＭ１が含まれたメッセージの表示を消去し、ステップＳ１１１に遷移する。
【００５６】
ステップＳ１１１において制御手段２０は、画像信号入力手段１８より入力する画像信号に基づく画像を画像投写手段１０により投写させ、本動作フローを終了する。
【００５７】
なお、所定時間Ｔ１はプロジェクター１の電源をオンしてから光源１１が所定の輝度に達するまでの時間、および光源１１の輝度の設定を変更してから再度輝度設定変更操作を受け付け可能な時間とする。
これにより、使用者はプロジェクター１の電源をオンしたとき、メッセージが表示されているうちは光源が完全に明るくなっていないと知ることができ、輝度の設定を変更したときは後どのくらいの時間でメッセージが消えるのかを知ることができる。
【００５８】
［プロジェクター１が画像ミュート操作を検出したとき］
図４に示すように、プロジェクター１が画像を投写中に、入力操作手段２３のミュートキーにより、画像ミュート状態の設定を切り替える画像ミュート操作を検出すると（ステップＳ２０１）、ステップＳ２０２に遷移する。
【００５９】
ステップＳ２０２において制御手段２０は、プロジェクター１がミュート設定手段２０２により画像ミュート状態に設定されているか否かを調べる。画像ミュート状態に設定されている場合（ステップＳ２０２：Ｙ）、ステップＳ２１０に遷移する。画像ミュート状態に設定されていない場合（ステップＳ２０２：Ｎ）、ステップＳ２０３に遷移する。
【００６０】
ステップＳ２０３においてミュート設定手段２０２は、画像投写手段１０により所定の黒画像などを投写することで、プロジェクター１を画像ミュート状態に設定し、ステップＳ２０４に遷移する。なお、画像ミュート状態は黒画像を投写しているため、画面は暗くなる。
【００６１】
ステップＳ２０４において、本動作フローを終了する。
【００６２】
ステップＳ２１０において制御手段２０は、輝度設定情報２１１に保存された輝度を示す輝度設定確認メッセージＭ１を画像投写手段１０により投写（表示）し、次に報知手段２５により、輝度設定情報２１１に保存された輝度を報知し、ステップＳ２１１に遷移する。なお、輝度設定確認メッセージＭ１の残り表示時間はタイマー２０１の計時時間が所定時間Ｔ３（例えば５秒）に達するまでの時間であり、後述するステップＳ２１５以降で計時して時間を表示するので、この時点ではメッセージＭ１の時間表示はＴ３がそのまま表示される。
【００６３】
ステップＳ２１１においてミュート設定手段２０２は、プロジェクター１の画像ミュート状態を解除するため、最初のマスクパターンＭＰ１を画像に重畳して画像投写手段１０により投写し、ステップＳ２１２に遷移する。本形態のマスクパターンは、図５に示すようにＭＰ１〜ＭＰ５の５種類である。マスクパターンＭＰ１〜ＭＰ５の順に透過率が高くなり、マスクパターンＭＰ５では通常の画像投写状態（マスクされていない状態）と同じになる。
【００６４】
ステップＳ２１２において制御手段２０は、タイマー２０１により所定時間Ｔ２０を計時し、計時時間が所定時間Ｔ２０に達した後、ステップＳ２１３に遷移する。ここで所定時間Ｔ２０は、後述する所定時間Ｔ２の１／４とする。例えば所定時間Ｔ２が０．４秒なら所定時間Ｔ２０は０．１秒になる。
【００６５】
ステップＳ２１３においてミュート設定手段２０２は、プロジェクター１の画像ミュート状態を徐々に解除するため、表示されているマスクパターンの次に透過率の高いマスクパターン（図５のマスクパターンＭＰ２〜ＭＰ５のいずれか）を画像に重畳して投写し、ステップＳ２１４に遷移する。
【００６６】
ステップＳ２１４において、制御手段２０は、ミュート設定手段２０２により選択されたマスクパターンがマスクパターンＭＰ５か否かを調べる。マスクパターンＭＰ５が選択されている場合（ステップＳ２１４：Ｙ）、ステップＳ２１５に遷移する。マスクパターンＭＰ５が選択されていない場合（ステップＳ２１４：Ｎ）、ステップＳ２１２に遷移する。
ステップＳ２１１からステップＳ２１４のように、重畳して投写するマスクパターンをマスクパターンＭＰ１〜ＭＰ５の５段階で順に透過率の高いものにしていくことにより投写画像はミュート画像が表示された暗い状態から、第２の所定時間である所定時間Ｔ２をかけて徐々に明るくなり、画像ミュート状態が解除されることになる。
【００６７】
ステップＳ２１５において制御手段２０は、タイマー２０１による計時をスタートし、ステップＳ２１６に遷移する。
【００６８】
ステップＳ２１６において制御手段２０は、輝度設定確認メッセージＭ１に対し、所定の輝度変更操作を受け付けたか否かを調べる。輝度変更操作を受け付けた場合（ステップＳ２１６：Ｙ）、ステップＳ２１７に遷移する。輝度変更操作を受け付けていない場合（ステップＳ２１６：Ｎ）、ステップＳ２１９に遷移する。
【００６９】
ステップＳ２１７において制御手段２０は、ステップＳ２１６において受け付けた輝度変更操作により選択された輝度を、光源制御手段２２により光源１１の輝度として設定し、選択され設定した輝度を輝度設定情報２１１に保存してステップＳ２１５に遷移する。
【００７０】
ステップＳ２１９において制御手段２０は、画像投写手段１０により輝度設定確認メッセージＭ１の残り表示時間、つまりタイマー２０１による計時時間が所定時間Ｔ３に達するまでの残り時間を更新したメッセージを投写（表示）させ、ステップＳ２２０に遷移する。
【００７１】
ステップＳ２２０において制御手段２０は、タイマー２０１による計時時間が所定時間Ｔ３を経過したか否かを調べる。タイマー２０１が所定時間Ｔ３を経過した場合（ステップＳ２２０：Ｙ）、ステップＳ２２１に遷移する。タイマー２０１が所定時間Ｔ３を経過していない場合（ステップＳ２２０：Ｎ）、ステップＳ２１６に遷移する。
【００７２】
ステップＳ２２１において制御手段２０は、タイマー２０１による計時を停止し、ステップＳ２２２に遷移する。
【００７３】
ステップＳ２２２において制御手段２０は、画像投写手段１０による輝度設定確認メッセージＭ１が含まれたメッセージの表示を消去し、ステップＳ２２３に遷移する。
【００７４】
ステップＳ２２３において制御手段２０は、画像信号入力手段１８より入力する画像信号に基づく画像を画像投写手段１０により投写させ、本動作フローを終了する。
【００７５】
以上説明したように、本実施形態のプロジェクター１によれば、プロジェクター１の電源がオンするときに所定時間Ｔ１の間、光源１１の輝度の設定を示す輝度設定確認メッセージＭ１が投写されるので、光源１１が徐々に明るくなってくる状態でも設定された輝度を確認することが可能となる。
【００７６】
また、プロジェクター１の画像ミュート状態を解除するときに、所定時間Ｔ３の間、輝度の設定を示す輝度設定確認メッセージＭ１が表示されるので、ミュート画像時の暗い状態から画像投写を再開して急に明るい画面になったような場合でも設定された輝度をメッセージで確認することが可能となる。
【００７７】
また、プロジェクター１の画像ミュート状態を解除するときに、所定時間Ｔ２をかけて徐々に画像ミュート状態を解除して画像の投写を再開するので、ミュート画像時の暗い状態から画像投写を再開して急に明るい画面になるのを防止することが可能となる。
【００７８】
また、光源１１の輝度に設定されている輝度（所定の輝度）を報知する報知手段２５により、電源オン直後など光源１１が徐々に明るくなってくる状態でも設定された輝度を報知手段２５により使用者に報知することが可能となる。
【００７９】
また、輝度設定確認メッセージＭ１を表示する残り時間（残り表示時間）により、後どれくらいで光源１１が完全に明るくなるのかを使用者に知らせることが可能となる。
【００８０】
また、光源１１の輝度設定を示す輝度設定確認メッセージＭ１が表示されているときに所定の操作により、光源の輝度設定を変更するので、電源オン直後など光源１１が完全に明るくなっていない状態でも、使用者の所望の輝度と異なる場合にすぐに設定を変更することが可能となる。
【００８１】
また、上記実施形態は、以下のように変更してもよい。
（変形例１）
上記実施形態において、プロジェクター１の画像ミュート状態を解除する際に所定時間Ｔ２をかけて徐々に画像ミュート状態を解除していたが、プロジェクター１の周囲の明るさを検出する照度検出手段を備え、周囲の照度が所定値以上のときは、時間をかけずに直ちに画像ミュート状態を解除するようにしてもよい。これにより、明るい部屋で画像ミュート状態を解除する場合は直ちに画像ミュート状態が解除され、画像の投写を再開できるようになる。
【符号の説明】
【００８２】
１…プロジェクター、１０…画像投写手段、１１…光源、１２Ｒ，１２Ｇ，１２Ｂ…液晶ライトバルブ、１３…投写レンズ、１４…液晶駆動手段、１６…ＯＳＤ処理手段、１７…画像信号処理手段、１８…画像信号入力手段、２０…制御手段、２０１…タイマー、２０２…ミュート設定手段、２１…記憶手段、２１１…輝度設定情報、２２…光源制御手段、２３…入力操作手段、２５…報知手段、３０…電源端子、３１…電源部。
【図１】
2014041235.tif 000003
【図２】
2014041235.tif 000004
【図３】
2014041235.tif 000005
【図４】
2014041235.tif 000006
【図５】
2014041235.tif 000007